(57)【要約】【課題】マッドガードを補強した上で、飛散防止板の振れを確実に抑制できる輸送車両における飛散防止板の振れ止め構造を提供する。【解決手段】マッドガード３の内面に水しぶき防止板４の上部を重ねると共に、水しぶき防止板４の下部をマッドガード３の下端より下方に延設して吊下する。車体フレーム６から延設したステー７に対しマッドガード３と水しぶき防止板４の上部とを第１のボルト８で締結すると共に、マッドガード３の下端と水しぶき防止板４とを第２のボルト１１で締結する。マッドガード３と水しぶき防止板４との間に板状をなす振れ止め部材５を挟み込んで上記第１のボルト８及び第２のボルト１１により共締めし、振れ止め部材５の下部を下方に延設して水しぶき防止板４の後側に重ねる。【選択図】図３
2015020607.tif 000002
【特許請求の範囲】
【請求項１】
タイヤの周囲を覆うようにマッドガードを配設し、該タイヤの回転に伴う後方への飛散物を受け止めるべく上記マッドガードの内面に飛散防止板の上部を重ねると共に、該飛散防止板の下部をマッドガードの下端より下方に延設して吊下し、車体フレームから延設したステーに対し上記マッドガードと飛散防止板の上部とを第１のボルトで締結すると共に、上記マッドガードの下端と飛散防止板とを第２のボルトで締結してなる輸送車両において、
上記マッドガードと飛散防止板との間に板状をなす振れ止め部材を挟み込んで上記第１のボルト及び第２のボルトにより共締めし、該振れ止め部材を下方に向けて延設して上記飛散防止板の後側に重ねたことを特徴とする輸送車両における飛散防止板の振れ止め構造。
【発明の詳細な説明】
【技術分野】
【０００１】
本発明は、輸送車両のマッドガードに取り付けられる飛散防止板の振れ止め構造に関する。
【背景技術】
【０００２】
トラックなどの輸送車両ではタイヤの周囲を覆うマッドガードの後部下端にエプロンを吊下し、タイヤの回転に伴って後方に飛散する飛散物、例えば小石や泥、或いは雨水をエプロンで受け止めることにより、後続車に視界不良などの迷惑が及ぶのを防止している。特に雨天走行中には、路面に滞留している雨水がタイヤの回転に伴い水しぶきとなって後方に飛散して後続車の視界を遮ってしまう。そのため、雨水の飛散防止対策を法規によって義務付けている地域もあり、例えば通常のエプロンの前面（タイヤ側）に人工芝のような無数の棘を形成した水しぶき防止板を用いて、雨水の飛散防止を図っている（以下、これらのエプロン及び水しぶき防止板を飛散防止板と総称する）。
【０００３】
車両の走行中に走行風や雨水の衝突により飛散防止板が前後に振れると、本来の飛散防止の効果を損なったり飛散防止板の破損に繋がったりする。このため、例えば特許文献１に記載のように、飛散防止板の振れを抑制するための対策が提案されている。
【先行技術文献】
【特許文献】
【０００４】
【特許文献１】特許第４４８５２７１号明細書
【発明の概要】
【発明が解決しようとする課題】
【０００５】
しかしながら、特許文献１に開示された振れ止め部材は、その先端を後方より離飛散防止板の上下方向中央に突き当てているだけのため、振れ止めの作用が十分とは言い難かった。
一方で、かなりの重量を有する飛散防止板を吊下することによりマッドガードは強度的な余裕が十分でなくなる。そこで、飛散防止板を装着する場合にはマッドガードを補強することが望ましい。しかしながら、特許文献１の振れ止め部材では、そのような要望に対応することができなかった。
【０００６】
本発明はこのような問題点を解決するためになされたもので、その目的とするところは、マッドガードを補強した上で、飛散防止板の振れを確実に抑制することができる輸送車両における飛散防止板の振れ止め構造を提供することにある。
【課題を解決するための手段】
【０００７】
上記の目的を達成するため、本発明の輸送車両における飛散防止板の振れ止め構造は、タイヤの周囲を覆うようにマッドガードを配設し、タイヤの回転に伴う後方への飛散物を受け止めるべくマッドガードの内面に飛散防止板の上部を重ねると共に、飛散防止板の下部をマッドガードの下端より下方に延設して吊下し、車体フレームから延設したステーに対しマッドガードと飛散防止板の上部とを第１のボルトで締結すると共に、マッドガードの下端と飛散防止板とを第２のボルトで締結してなる輸送車両において、マッドガードと飛散防止板との間に板状をなす振れ止め部材を挟み込んで第１のボルト及び第２のボルトにより共締めし、振れ止め部材を下方に向けて延設して飛散防止板の後側に重ねたことを特徴とする。
【発明の効果】
【０００８】
本発明によれば、マッドガードを補強した上で、飛散防止板の振れを確実に抑制することができる。
【図面の簡単な説明】
【０００９】
【図１】実施形態の水しぶき防止板の振れ止め構造が適用されたトラックの前輪付近を示す斜視図である。
【図２】マッドガードに対する振れ止め部材の取付状態を示す図１のＡ矢視図である。
【図３】マッドガードに対する振れ止め部材の取付状態を示す図２のIII−III線断面図である。
【発明を実施するための形態】
【００１０】
以下、本発明をキャブオーバー型のトラックにおける水しぶき防止板の振れ止め構造に具体化した一実施形態を説明する。
図１は本実施形態の水しぶき防止板の振れ止め構造が適用されたトラックの前輪付近を示す斜視図である。
トラックのキャブ１の左右両側には、それぞれ主に前輪タイヤ２の後部の周囲を覆うように合成樹脂製のマッドガード３が取り付けられ、これらのマッドガード３に水しぶき防止板４（飛散防止板）及びその振れを抑制するための振れ止め部材５が取り付けられている。以下、左側の水しぶき防止板４及び振れ止め部材５について述べるが、右側のものも左右対称の同一構造である。
図示はしないがマッドガード３の上部は車体フレーム６に固定されており、マッドガード３の上下方向中央は、以下のように車体フレーム６から延設されたステー７により支持されている。
【００１１】
図２はマッドガード３に対する振れ止め部材の取付状態を示す図１のＡ矢視図、図３は同じく図２のIII−III線断面図である。
ステー７の一端は車体フレーム６の左右を連結するキャブブリッジ６ａの左側に固定され、ステー７は左方に向けて延設されてマッドガード３の上下方向中央の後側に位置している。ステー７の左右方向３箇所においてマッドガード３は第１のボルト８及びナット９によりステー７に締結されている。マッドガード３の内面（前面）には、水しぶき防止板４の上部が重ねられている。水しぶき防止板４は四角板状をなして柔軟性を有するポリエチレンなどの合成樹脂材料で製作され、その前面（タイヤ２側）には人工芝のような無数の棘４ａが隈無く一体形成されている。
【００１２】
水しぶき防止板４の上部は２つの締結箇所でマッドガード３と共にステー７に対して締結され、これによりマッドガード３及び水しぶき防止板４がステー７を介して車体フレーム６から支持されている。水しぶき防止板４の下部はマッドガード３の下端より下方に延設されて吊下され、水しぶき防止板４の上下方向中央は、左右方向４箇所においてマッドガード３の下端に対しスペーサ１０を挟んだ状態で第２のボルト１１及びナット１２によりそれぞれ締結されている。
【００１３】
本実施形態では、ステー７がマッドガード３を支持する役割を果たすと共に、トラックに搭載されたエンジンを制御するＥＣＵ１３（エンジン制御ユニット）の支持ブラケットとしても機能している。そのためにステー７には取付座１４が溶接され、その取付座１４にＥＣＵ１３が固定されている。但し、必ずしもステー７にＥＣＵ１３を固定する必要はなく、マッドガード３を支持するための専用のステー７としてもよい。
【００１４】
上記した振れ止め部材５はステンレスなどで製作された板状をなし、その上部半分がマッドガード３と水しぶき防止板４との間に挟み込まれている。振れ止め部材５の上端は、マッドガード３及び水しぶき防止板４と共にステー７に対して第１のボルト８及びナット９で共締めされ、振れ止め部材５の上下方向中央は、マッドガード３及び水しぶき防止板４に対して第２のボルト１１及びナット１２で共締めされている。振れ止め部材５はマッドガード３の下端から下方に向けて延設され、その下側半分が水しぶき防止板４に後方から重なっている。
振れ止め部材５の下側半分は下方に向けて次第に左右幅が狭くなる台形状をなし、適宜肉抜き孔１５が貫設されている。同様に、振れ止め部材５の上側半分にも肉抜き孔１６が貫設されている。また、振れ止め部材５の下端縁５ａは後方に向けて断面Ｒ状に屈曲形成されている。
【００１５】
次に、以上のように構成された水しぶき防止板４の振れ止め構造による作用を説明する。
雨天走行中において路面に滞留している雨水はタイヤ２の回転に伴い水しぶきとなって後方に飛散し、水しぶき防止板４の前面に衝突する。衝突した雨水は無数の棘４ａにより左右への飛散を防止されながら下方に落とされ、これにより水しぶきによる後続車両の視界不良が防止される。
【００１６】
雨水の衝突や走行風により水しぶき防止板４が前後に振れると、本来のしぶき止めの効果を損なったり水しぶき防止板４が破損したりする。例えば特許文献１の技術のように振れ止め部材の先端を突き当てる構成では、特に水しぶき防止板の上端（本実施形態では、スペーサ１０の直下位置に相当）に大きな応力が生じて破損し易い。本実施形態では、水しぶき防止板４の後側に板状の振れ止め部材５が重ねられているため、水しぶき防止板４の振れをより確実に抑制して応力の発生を防止でき、もって振れに起因する上記不具合を未然に防止することができる。
【００１７】
また、振れ止め部材５の上側半分はマッドガード３に重ねられて上下をボルト８，１１及びナット９，１２により締結されているため、マッドガード３自体を補強する役割を果たす。よって、マッドガード３は吊下している水しぶき防止板４を十分に支持でき、その破損を未然に防止することができる。
しかも、振れ止め部材５の上端及び上下方向中央は、それぞれマッドガード３や水しぶき防止板４を固定するボルト８，１１及びナット９，１２を利用して固定されている。よって、振れ止め部材５の固定のための新たな改造は必要なく、コストアップすることなく上記作用効果を得ることができる。
【００１８】
一方、振れ止め部材５は肉抜き孔１５，１６の形成により軽量化されているため、振れ止め部材５を支持するマッドガード３やステー７などの部材への負担を軽減できる。
さらに、振れ止め部材５の下側半分は肉抜き孔１５の形成と共に台形状をなしており、これらの要因により上下方向に変形し易い特性が付与されている。トラックが段差を乗り越える際には、振れ止め部材５が下方から突き上げられ、振れ止め部材５を介して合成樹脂製のマッドガード３が破損する場合がある。このような状況では振れ止め部材５が上下方向に圧縮変形するため、マッドガード３の破損を防止でき、同時にマッドガード３を支持するステー７などの破損も防止できる。
また、水しぶき防止板４は常に振れ止め部材５の特定の箇所に当接し、当接する箇所がエッジ形状をなしている場合には早期にクラックが発生してしまう。振れ止め部材５の下端縁５ａが断面Ｒ状に屈曲形成されることによりエッジが存在しないため、このようなトラブルを未然に防止することができる。
【００１９】
以上で実施形態の説明を終えるが、本発明の態様はこの実施形態に限定されるものではない。例えば上記実施形態では、トラックの前輪用のマッドガード３に取り付けられる水しぶき止め板４の振れ止め構造に具体化したが、これに限るものではない。例えば後輪用のマッドガードに適用してもよいし、小石や泥の飛散防止のためのエプロンの振れ止め構造として具体化してもよい。
また上記実施形態では、水しぶき防止板４の前面に無数の棘４ａを形成することにより水しぶきの防止作用を得たが、水しぶきを防止する原理はこれに限るものではなく、別の原理を用いた飛散防止板として具体化してもよい。
【符号の説明】
【００２０】
２    タイヤ
３    マッドガード
４    水しぶき防止板（飛散防止板）
５    振れ止め部材
６    車体フレーム
７    ステー
８    第１のボルト
１１  第２のボルト
【図１】
2015020607.tif 000003
【図２】
2015020607.tif 000004
【図３】
2015020607.tif 000005